(57)【特許請求の範囲】
【請求項１】
光学機能板を収納するための容器であって、
上面が開口し、周壁が底板周縁から外向きに傾斜して立設され、かつ周壁上端から外向きに傾斜して折り返された折り返し片を有する箱体と、
この箱体の上面開口を塞いだ状態で前記折り返し片の外面に少なくとも下端部が対面するスカート部が天板周縁から外向きに傾斜して一体に形成された蓋とを備え、
前記折り返し片は、その下端部が前記底板と同じ高さに位置し、
前記スカート部は、段部を介して連続した上スカート部と下スカート部とからなり、前記折り返し片の外面に少なくとも前記下スカート部の下端部が対面する光学機能板の収納容器。
【請求項２】
少なくとも前記底板の内面に離型剤を付着させた請求項１記載の収納容器。
【発明の詳細な説明】
【０００１】
【発明の属する技術分野】
本発明は、液晶表示装置等に利用される位相差板や偏光板等の光学機能板の収納容器に関する。
【０００２】
【従来の技術】
偏光板等の光学機能板を運搬するための収納容器には、通常、直方体の硬質プラスチック容器に蓋をしたものが用いられている。しかし、直方体の収納容器の場合、内容物を取り出した後の空容器を返却する際や当該容器を廃棄する際に、空容器をそのまま輸送しなければならないために、嵩張り、運搬が非効率的であった。特に空容器が大量にある場合は、それだけで何台もの運搬車輌を要したり、何回にも分けて運搬しなければならないため、運搬効率が悪いという問題があった。また、空容器を保管する際にも、嵩張るため、大きなスペースを必要とするという問題があった。
【０００３】
一方、前記光学機能板は、通常、片面に粘着剤が塗布され、その表面に離型シートが貼り付けられている。この光学機能板を容器内に立てて収納した際に、粘着剤が露出した光学機能板の下端面が底板の内面に当たっているため、光学機能板がこの下端面にある粘着剤によって底板の内面に貼り付いてしまい、粘着剤が部分的に脱落することがあった。
【０００４】
【発明が解決しようとする課題】
本発明の主たる目的は、光学機能板を取り出した後、返却または廃棄する際に嵩張らず、効率よく運搬でき、かつ保管等にも大きなスペースを要しない光学機能板の収納容器を提供することである。
本発明の他の目的は、粘着剤付き光学機能板を収納した際に、光学機能板の端面が底板の内面等に貼り付くことを防止できる光学機能板の収納容器を提供することである。
【０００５】
【課題を解決するための手段】
上記課題を解決するための本発明の収納容器は、光学機能板を収納するための容器であって、上面が開口し周壁が底板周縁から外向きに傾斜して立設されかつ周壁上端から外向きに傾斜して折り返された折り返し片を有する箱体と、この箱体の上面開口を塞いだ状態で前記折り返し片の外面に少なくとも下端部が対面するスカート部が天板周縁から外向きに傾斜して一体に形成された蓋とを備え、前記折り返し片は、その下端部が前記底板と同じ高さに位置し、前記スカート部は、段部を介して連続した上スカート部と下スカート部とからなり、前記折り返し片の外面に少なくとも前記下スカート部の下端部が対面することを特徴とする。
【０００６】
本発明の収納容器は、上記箱体の周壁および折り返し片が外向きに傾斜しているため、複数の箱体同士を積み重ねることができる。その結果、従来の直方体の容器と比較して嵩張らないため、内容物を取り出した後の容器を返却または廃棄する際に効率よく運搬でき、かつ保管にも大きなスペースを要しない。上記蓋のスカート部も同様に外向きに傾斜しているため、複数の蓋同士を積み重ねることができ、箱体と同様の効果が得られる。また、前記折り返し片の外面に少なくとも前記スカート部の下端部が対面する範囲内で、箱体の底板から蓋の天板までの高さを調節することができるため、光学機能板サイズの変動にも容易に対応できる。
【０００８】
前記段部が設けられていることによって、箱体に蓋を被せた際に、箱体の周壁上端と蓋の段部とが接触する位置で双方を安定して固定できるだけでなく、箱体の底板から蓋の天板までの高さが、周壁上端と段部とが接触した状態での高さよりも低くなることがないため、一定の容積を確保でき、内容物を衝撃等から保護することができる。
【０００９】
本発明では、少なくとも前記底板の内面に離型剤を付着させることができる。本発明の収納容器に粘着剤を塗布し離型シートを貼り付けた光学機能板を収納した際に、光学機能板の特に粘着剤が露出した端面が収納容器の底板の内面等に接する際でも、前記内面に離型剤を付着させているため、光学機能板が貼り付いてしまうのを防止できる。
【００１０】
【発明の実施の形態】
以下、本発明の一実施形態を図１〜１０に基づいて説明する。
図１は、本発明の収納容器を示す断面図である。図１に示すように、この収納容器は箱体１と蓋７とからなり、蓋７が箱体１の上面開口部６を塞ぐ。
【００１１】
図２は箱体１の平面図である。箱体１は、図１および図２に示すように、上面が開口し、底板２の周縁から外向きに傾斜して立設する周壁３と、周壁３の周縁上端から外向きで底板２と平行に形成される水平部４と、水平部４の周縁から外向きに傾斜して折り返された折り返し片５とからなる。
【００１２】
図３は箱体１の周壁３および折り返し片５周辺の拡大断面図である。周壁３の外向きの傾斜角度θ１および折り返し片５の外向きの傾斜角度θ２は、少なくとも１度以上であれば本発明の効果が得られる。しかし、傾斜角度θ１およびθ２が大きくなれば、外向きに張り出す容積も増加する。したがって、傾斜角度θ１およびθ２は１〜２０°の範囲内であることが好ましい。また、底板２から水平部４までの高さおよび底板２の面積は、光学機能板の大きさや収納個数に応じて設定すればよく、特に限定されない。
【００１３】
図４は蓋７の平面図である。蓋７は、箱体１の上面開口部６を塞ぐためのもので、図１および図４に示すように、天板８周縁から外向きに傾斜して一体に形成される上スカート部９と、上スカート部９の周縁から外向きで天板８と平行に形成される段部１０と、段部１０の周縁から外向きに傾斜して一体に形成される下スカート部１１とからなる。
【００１４】
図５は蓋７の上スカート部９および下スカート部１１周辺の拡大断面図である。上スカート部９の外向きの傾斜角度θ３および下スカート部１１の外向きの傾斜角度θ４は、θ１およびθ２と同様に、少なくとも１度以上であればよく、好ましくは１〜２０°の範囲内であるのがよい。また、天板８から下スカート部１１までの高さおよび天板８の面積は、光学機能板の大きさや収納個数に応じて設定すればよく、特に限定されない。
【００１５】
図６は、箱体１に光学機能板１３を一定方向で複数列に並べて収納した状態を示す斜視図である。図７は、箱体１および蓋７で構成される収納容器に光学機能板１３を図６と同様に収納した状態を示す断面図である。箱体１は仕切り板１２で４つの部屋に区切られている。仕切り板１２は、光学機能板１３のサイズに応じて適宜使用すればよい。蓋７に段部１０が設けられていることによって、箱体１の水平部４と蓋７の段部１０とが重なる位置で双方を安定して固定できる。また、底板２から天板８までの高さが、水平部４と段部１０が重なった状態よりも低くなることはないため、一定の空間が確保され、内容物を衝撃等から保護することができる。
【００１６】
また、折り返し片５の外面に少なくとも下スカート部１１の下端部が対面する範囲内、すなわち図７に示す下スカート部１１の下端から段部１０までの高さｈの範囲内で、蓋７の位置を調節することができるため、光学機能板１３のサイズ変動にも対応できる。
【００１７】
図８は、箱体１を複数個積み重ねた状態を示す断面図である。図９は、蓋７を複数個積み重ねた状態を示す断面図である。周壁３と折り返し片５が外向きに傾斜し、上スカート部９と下スカート部１１が同様に外向きに傾斜しているため、収納容器から内容物を取り出した後の容器を返却または廃棄する際に、図８，９に示すように、複数の箱体１同士および蓋６同士を積み重ねることにより、嵩張らず、効率よく運搬できる。
【００１８】
箱体１および蓋７の材質としては、合成樹脂、金属、木材、ダンボール紙、厚紙等が使用でき、特に成形性、耐久性、軽量等の性質を兼ね備えた合成樹脂を使用するのが好ましい。合成樹脂としては、ポリエステル、ポリエチレン、ポリプロピレン、アクリル樹脂（ポリメタクリル酸メチル等）、ポリカーボネート、ポリ塩化ビニル等が使用できる。また、コスト面を考慮して、内容物に応じた耐久性等を維持できる範囲内で肉厚を薄くすることが好ましい。合成樹脂製の収納容器は、真空成形や射出成形等により成形することができる。
【００１９】
本実施形態における光学機能板１３は、片面に粘着剤を塗布し、その表面に離型シートを貼り付けたものである。したがって、光学機能板１３を収納した際、粘着剤が露出した端面と接する部位に離型剤を塗布するのが好ましい。具体的には、少なくとも底板２の内面、必要に応じて天板８，周壁３、上スカート部９および下スカート部１１の各内面に離型剤を塗布する。
【００２０】
離型剤としては、シリコーンオイル等が使用でき、前記内面へ離型剤を付着させる手段としては、離型剤を前記内面に塗布する方法が好適であるが、容器が合成樹脂製の場合は、離型剤を予め樹脂に練り込んで使用してもよい。
【００２１】
光学機能板としては、例えば液晶表示装置に利用される位相差フィルムや偏光板等の部材が挙げられる。
【００２２】
本発明の他の実施形態を図１０に示す。図１０に示すように、箱体１は、周壁３の周縁上端から水平部４を設けずに、直に折り返し片５を設けてもよい。
【００２３】
なお、箱体１の底板および蓋７の天板８の形状は、正方形、長方形、円、楕円等、特に限定されず、内容物の形状等に応じて設定すれよい。
【００２４】
【発明の効果】
本発明の収納容器は、上記箱体の周壁および折り返し片が外向きに傾斜しているため、複数の箱体同士を積み重ねることができる。その結果、内容物を取り出した後の箱体を返却または廃棄する際に効率よく運搬でき、かつ保管にも大きなスペースを要しないという効果がある。また、上記蓋も同様にスカート部が外向きに傾斜しているため、複数の蓋同士を積み重ねることができる。このため箱体と同様に効率よく運搬でき、かつ省スペース化をはかることができるという効果がある。
【００２５】
本発明によれば、前記折り返し片の外面に少なくとも前記スカート部の下端部が対面する範囲内で、箱体の底板から蓋の天板までの高さを調節することができるため、光学機能板のサイズ変動にも容易に対応できるという効果がある。
【００２６】
さらに、本発明の収納容器は、蓋に段部が設けられていることによって、箱体に蓋を被せた際に、箱体の周壁上端と蓋の段部とが接触する位置で双方を安定して固定できるだけでなく、箱体の底板から蓋の天板までの高さが、周壁上端と段部とが接触した状態での高さよりも低くなることがないため、一定の容積を確保でき、内容物を衝撃等から保護することができるという効果がある。
【００２７】
本発明の収納容器に粘着剤付き光学機能板を収納した際に、粘着剤が露出した光学機能板の端面が収納容器の底板の内面に接する際でも、少なくとも前記内面に離型剤を付着させているため、光学機能板が貼り付いてしまうことを防止できるという効果がある。
【図面の簡単な説明】
【図１】本発明における収納容器の一実施形態を示す断面図である。
【図２】箱体の平面図である。
【図３】箱体の周壁および折り返し片周辺の拡大断面図である。
【図４】蓋の平面図である。
【図５】蓋の上スカート部および下スカート部周辺の拡大断面図である。
【図６】箱体に光学機能板を一定方向で複数列に並べて収納した状態を示す斜視図である。
【図７】収納容器に光学機能板を収納した状態を示す断面図である。
【図８】箱体を積み重ねた状態を示す断面図である。
【図９】蓋を積み重ねた状態を示す断面図である。
【図１０】本発明における収納容器の他の実施形態を示す断面図である。
【符号の説明】
１    箱体
２    底板
３    周壁
４    水平部
５    折り返し片
６    上面開口部
７    蓋
８    天板
９    上スカート部
１０    段部
１１    下スカート部
１２    仕切り板
１３    光学機能板
１４    スカート部
θ１    周壁の外向きに傾斜した角度
θ２    折り返し片の外向きに傾斜した角度
θ３    上スカート部の外向きに傾斜した角度
θ４    下スカート部の外向きに傾斜した角度
【図１】
0004242570.tif 000002
【図２】
0004242570.tif 000003
【図３】
0004242570.tif 000004
【図４】
0004242570.tif 000005
【図５】
0004242570.tif 000006
【図６】
0004242570.tif 000007
【図７】
0004242570.tif 000008
【図８】
0004242570.tif 000009
【図９】
0004242570.tif 000010
【図１０】
0004242570.tif 000011